(57)【特許請求の範囲】
【請求項１】
パネルに対して上下動可能な操作部と、前記パネルの内側に固定されたプッシュスイッチと、前記操作部と前記プッシュスイッチの間に介在する駆動手段とを備え、前記操作部は、前記パネルから突出、或いは、前記パネル内側に没入することが可能であり、前記駆動手段は、回転可能な軸部を有し、該軸部の回転によって、前記プッシュスイッチを操作することなく、前記操作部を前記パネルに対して上下動させることが可能であり、前記操作部には、第１の凹凸面が設けられていると共に、前記軸部には、前記第１の凹凸面に対向する第２の凹凸面が設けられており、前記軸部の回転により、前記第１の凹凸面の第１の凸部と、前記第２の凹凸面の第２の凸部が当接、離脱して、前記操作部を前記パネルに対して上下動させると共に、前記操作部の押圧時、前記駆動手段を介して前記プッシュスイッチの操作を行うことを特徴とするスイッチの操作構造。
【請求項２】
前記第１、第２の凹凸面は、それぞれ、前記第１、第２の凸部の頂部から根元部に向かう第１、第２の傾斜面を有し、前記軸部の回転時、前記第１、第２の凸部は、互いに前記第１、第２の傾斜面に沿って乗り上げることを特徴とする請求項１載のスイッチの操作構造。
【請求項３】
前記第１、第２の凹凸面は、それぞれ、前記第１、第２の凸部が前記軸部の回転中心に対して対称な位置に少なくとも一対配置されていることを特徴とする請求項１または２記載のスイッチの操作構造。
【請求項４】
前記操作部と前記パネルとの間には第１の付勢部材が配置されて、前記第１の付勢部材によって、前記操作部を前記駆動手段側に押しつけていることを特徴とする請求項１乃至３のいずれかに記載のスイッチ操作構造。
【請求項５】
前記駆動手段の前記軸部によって、前記プッシュボタンを押圧することを特徴とする請求項１乃至４のいずれかに記載のスイッチの操作構造。
【請求項６】
前記駆動手段は、前記軸部と、前記軸部の外周に配置された第１のギアを有し、前記第１のギアを介して前記軸部が回転することを特徴とする請求項１乃至５のいずれかに記載のスイッチの操作構造。
【請求項７】
前記第１のギアは、中心部に設けられた貫通孔と、該壁面に設けられた歯部とを有し、前記貫通孔に前記軸部が挿通されて、前記第１のギアと前記軸部は、一体に回転可能なように係合されていることを特徴とする請求項６記載のスイッチの操作構造。
【請求項８】
前記駆動手段は、前記第１のギアと噛み合う第２のギアを有し、前記第２のギアを介して前記第１のギアが回転することを特徴とする請求項４に記載のスイッチの操作構造。
【請求項９】
前記第２のギアは、前記第１のギアに噛み合うウォームギアで形成されたことを特徴とする請求項８記載のスイッチの操作構造。
【請求項１０】
前記パネルの内側に支持部材が設けられており、前記第１のギアは、前記支持部材と前記パネルに挟持されて、前記第１のギアの移動が規制されていることを特徴とする請求項６乃至９のいずれかに記載のスイッチの操作構造。
【請求項１１】
前記軸部は、第２の付勢部材により前記パネル側に付勢されていることを特徴とする請求項１乃至１０に記載のスイッチの操作構造。
【発明の詳細な説明】
【０００１】
【発明の属する技術分野】
本発明は、プッシュスイッチの操作部がパネルに対して上下動可能であるスイッチの操作構造に関する。
【０００２】
【従来の技術】
従来のスイッチの操作構造は、図９に示すように、フレキシブル基板１６上に押圧可能な操作部１１を有する複数個のプッシュスイッチ１２が設けられており、第１の金具１７をスライドさせて、第２の金具１８を回転させることにより、所望のプッシュスイッチ１２が設けられた位置の基板１６を隆起させて、所望のプッシュスイッチ１２に対応した操作部１１をパネル（図示せず）から突出させたり、或いは、隆起状態にある基板１６を戻して、操作部１１をパネル内に没入させたりしていた。
【０００３】
【発明が解決しようとする課題】
しかし、このようなスイッチの操作構造では、所望のプッシュスイッチ１２がが設けられた位置の基板１６を隆起させたり、元に戻したりするものであり、繰り返しによって、プッシュスイッチ１２が設けられたフレキシブル基板１６上に形成された配線が破損する問題や、また、基板１６が隆起状態にある場合、周囲の基板１６も隆起して、必要のないプッシュスイッチ１２の操作部１１も突出することにより、誤操作を招くという問題があった。
本発明は、プッシュスイッチを固定した状態で、所望のプッシュスイッチに対応した操作部を確実に上下動させることができるスイッチの操作構造を提供することを目的とする。
【０００４】
【課題を解決するための手段】
本発明のスイッチ操作構造は、パネルに対して上下動可能な操作部と、前記パネルの内側に固定されたプッシュスイッチと、前記操作部と前記プッシュスイッチの間に介在する駆動手段とを備え、前記操作部は、前記パネルから突出、或いは、前記パネル内側に没入することが可能であり、前記駆動手段は、回転可能な軸部を有し、該軸部の回転によって、前記プッシュスイッチを操作することなく、前記操作部を前記パネルに対して上下動させることが可能であり、前記操作部には、第１の凹凸面が設けられていると共に、前記軸部には、前記第１の凹凸面に対向する第２の凹凸面が設けられており、前記軸部の回転により、前記第１の凹凸面の第１の凸部と、前記第２の凹凸面の第２の凸部が当接、離脱して、前記操作部を前記パネルに対して上下動させると共に、前記操作部の押圧時、前記駆動手段を介して前記プッシュスイッチの操作を行う。
【０００８】
本発明のスイッチの操作構造は、前記第１、第２の凹凸面は、それぞれ、前記第１、第２の凸部の頂部から根元部に向かう第１、第２の傾斜面を有し、前記軸部の回転時、前記第１、第２の凸部は、互いに前記第１、第２の傾斜面に沿って乗り上げる。
【０００９】
本発明のスイッチの操作構造は、前記第１、第２の凹凸面は、それぞれ、前記第１、第２の凸部が前記軸部の回転中心に対して対称な位置に少なくとも一対配置されている。
【００１０】
本発明のスイッチの操作構造は、前記操作部と前記パネルとの間に第１の付勢部材が配置されて、前記第１の付勢部材によって、前記操作部を前記駆動手段側に押しつけている。
【００１１】
本発明のスイッチの操作構造は、前記駆動手段の前記軸部によって、前記プッシュボタンを押圧する。
【００１２】
本発明のスイッチの操作構造は、前記駆動手段が前記軸部と、前記軸部の外周に配置された第１のギアを有し、前記第１のギアを介して前記軸部が回転する。
【００１３】
本発明のスイッチの操作構造は、前記第１のギアが中心部に設けられた貫通孔と、該壁面に設けられた歯部とを有し、前記貫通孔に前記軸部が挿通されて、前記第１のギアと前記軸部は、一体に回転可能なように係合されている。
【００１４】
本発明のスイッチの操作構造は、前記駆動手段は、前記第１のギアと噛み合う第２のギアを有し、前記第２のギアを介して前記第１のギアが回転する。
【００１５】
本発明のスイッチの操作構造は、前記第２のギアが前記第１のギアに噛み合うウォームギアで形成されている。
【００１６】
本発明のスイッチの操作構造は、前記パネルの内側に支持部材が固定されており、前記第１のギアは、前記支持部材と前記パネルに挟持されて、前記第１のギアの移動が規制されている。
【００１７】
本発明のスイッチの操作構造は、前記軸部は、第２の付勢部材により前記パネル側に付勢されている。
【００１８】
【発明の実施の形態】
本発明のスイッチの操作構造の図面を説明すると、図１は、本発明のスイッチの操作構造に係る断面図、図２は、本発明のスイッチの操作構造に係る操作部の断面図、図３は、本発明のスイッチの操作構造に係る操作部の下面図、図４は、本発明のスイッチの操作構造に係る軸部の平面図、図５は、本発明のスイッチの操作構造に係る軸部の右側面図、図６は、本発明のスイッチの操作構造に係る第１のギアの平面図、図７は、図６の７−７線での断面図、図８は、本発明のスイッチの操作構造の使用例を示す斜視図である。
【００１９】
次に、本発明のスイッチの操作構造を図１〜図８に基づいて説明すると、パネル１は、特に図１、図８に示すように、前面板１ｅに設けられた円形の貫通孔１ａと、前面板１ｅの内面側において、貫通孔１ａを囲む円環状に設けられた溝部１ｂと、溝部１ｂを囲む円筒状で内方に突出した壁部１ｃと、壁部１ｃの内壁に十字の位置で設けられた４個の凹部１ｄが形成されている。
【００２０】
ポリアセタール等の合成樹脂の成形体からなる操作部３は、図２、図３に示すように、円板状である基部３ａと、基部３ａの一面から垂直方向に突出した円柱状のツマミ部３ｂと、ツマミ部３ｂの中心部に設けられた凹部３ｆと、基部３ａの外周部から径方向に向けて、十字の位置で水平に突出した４個の突起３ｄと、基部３ａの他面から垂直方向に突出して、凹部３ｆを挟んで互いに対向して設けられた一対の第１の凸部３ｃが設けられている。
【００２１】
一対の第１の凸部３ｃは、それぞれ台形状をなし、各第１の凸部３ｃは、平坦な頂部の両側から基部３ａ側の根元に向けて幅広となるように、基部３ａの円周方向に傾斜する一対の傾斜面３ｇを有すると共に、この一対の傾斜面３ｇは、一方が他方よりも緩やかな傾斜面となっている。基部３ａの他面は、第１の凸部３ｃ間の基部３ａ表面が第１の凸部３ｃに対して第１の凹部３ｍとなり、第１の凸部３ｃと第１の凹部３ｍとで、第１の凹凸面Ｓ１を成している。
【００２２】
このような操作部３は、ツマミ部３ｂがパネル１の内側から貫通孔１ａに挿通されると共に、４個の突起３ｄが、それぞれ、パネル１の壁部１ｃに形成された凹部１ｄにはめ込まれて、パネル１に対して出没可能であると共に、回転不能な状態でパネル１に取り付けられている。
【００２３】
プッシュスイッチ２は、固定接点（図示せず）と、可動接点（図示せず）とを収納したケース２ａと、このケース２ａに移動可能に取り付けられ、可動接点を操作する押圧部２ｂとを有し、このプッシュスイッチ２は、プリント基板等からなる支持基板１０に固定されて、支持基板１０は、パネル１の内側に配置されている。
【００２４】
合成樹脂等の成形体からなる支持部材８は、円筒状を成す筒部８ａと、この筒部８ａの空洞部８ｄの中間部において、筒部８ａの内壁から突出して空洞部８ｄを細径となすリング状部８ｃと、筒部８ａの一端面において、外縁に沿って設けられた円弧状の突出部８ｂとを有する。
【００２５】
支持部材８は、他端部側で支持基板１０に取り付けられて、プッシュスイッチ２は、支持部材８の空洞部８ｄ内に配置されている。
【００２６】
軸部４は、図４、５に示すように、円柱状であり、中間部に設けられた拡径の円板部４ｄと、円板部４ｄの外周部から径方向に向けて、十字の位置に水平に突出した４個の突起４ｈと、円板部４ｄの一面から垂直方向に突出し、円板部４ｄの中心を挟んで互いに対向して設けられた一対の第２の凸部４ｆが設けられている。
【００２７】
一対の第２の凸部４ｆは、それぞれ台形状をなし、各第２の凸部４ｆは、平坦な頂部の両側から円板部４ｄ側の根元に向けて幅広となるように、円板部４ｄの円周方向に傾斜する一対の傾斜面４ｇを有すると共に、この一対の傾斜面４ｇは、一方が他方よりも緩やかな傾斜面となっている。円板部４ｄの一面は、第２の凸部４ｆの間の円板部４ｄ表面が第２の凸部４ｆに対する第２の凹部４ｍとなり、第２の凸部４ｆと第２の凹部４ｍとで、第２の凹凸面Ｓ２を成している。
【００２８】
軸部４は、円板部４ｄの第２の凸部４ｆが設けられた一面を操作部３側に向け、一端側が操作部３の凹部３ｆに挿入されて操作部３に連結され、操作部３の基部３ａ中心と軸部４の中心が一致している。
【００２９】
また、軸部４は、他端側が支持部材８の空洞部８ｄ内に、リング状部８ｃの中心部を貫通するように挿入されて、軸部４の周囲にはリング部８ｃの内壁が当接して、軸部４の他端がプッシュスイッチ２に対向するようになっている。
【００３０】
コイルバネ等から構成される第１の付勢部材７は、パネル１の溝部１ｂに収容されて、操作部３を軸部４の円板部４ｄ側に付勢している。第１の付勢部材７の付勢によって、操作部３の基部３ａに形成された第１の凹凸面Ｓ１と軸部４の円板部４ｄに形成された第２の凹凸面Ｓ２は、常に当接した状態になっている。
【００３１】
操作部３は、第１の凸部３ｃの頂部と第２の凸部４ｆの頂部が当接したとき、ツマミ部３ｂがパネル１から突出した状態となり、また、第１の凸部３ｃと第２の凸部４ｆが互いに離脱したとき（第１の凸部３ｃが第２の凹部４ｍに当接して、第２の凸部４ｆが第１の凹部３ｍに当接したとき）、ツマミ部３ｂがパネル１の内側に没入するようになっている。
【００３２】
第１のギア５は、図６、図７に示すように、リング部５ａと、このリング部５ａの外円周面に形成された歯部５ｂと、リング部５ａの一端面５ｅから、リング部５ａよりも小さい外径の円筒に突出形成された筒部５ｃと、リング部５ａと筒部５ｃの内壁面に十字の位置で設けられた４個の凹部５ｄとを有する。
【００３３】
第１のギア５には、軸部４が第１のギア５の一端面５ｅ側からリング部５ａに挿入されて、軸部４は、円板部４ｄが第１のギア５の筒部５ｃに収容されると共に、突起４ｈが第１のギア５の凹部５ｄにはめ込まれて、第２の凸部４ｆが第１のギア５の他端面から突出している。軸部４は、第２のギア６を回転させることにより、第１のギア５と一体に回転するようになっている。
【００３４】
また、第１のギア５が軸部４と組み合わされた際、第１のギア５は、筒部５ｃが支持部材８の突出部８ｂの内壁に当接して、回転面内での移動が規制されると共に、パネル１の凸部１ｃと支持部材８との間で狭持されて、回転面と垂直方向の移動が規制されている。
【００３５】
第２のギア６は、円柱状の側面に歯部が形成されたウォームギアであり、外部の駆動源から回転させることが可能なように、適宜手段により取り付けられている。第２のギア６は、第１のギア５と互いに噛み合わされ、第２のギア６の回転によって、第１のギア５を回転させるようになっている。軸部４、第１、第２のギア５、６とによって、駆動手段が構成されている。
【００３６】
コイルバネ等から構成された第２の付勢部材９は、第１の付勢部材７よりバネ力が大きく、支持部材８の空洞部８ｄ内で、リング部８ｃと軸部４の円板部４ｄとの間に介在して、受け部材１５を介して軸部４をプッシュスイッチ２側からパネル１側に付勢している。
【００３７】
軸部４は、第２の付勢部材９に付勢されて、操作部３のツマミ部３ｂが押圧されないとき、円板部４ｄが支持部材８から押し上げられている。軸部４の円板部４ｄと支持部材８との間に隙間があり、軸部４は、プッシュスイッチ２に向けて移動可能な状態になっている。
【００３８】
なお、支持部材８には、第２のギア６の位置では突出部８ｂが設けられておらず、第２のギア６は、支持部材８により回転が阻害されることがない。
【００３９】
次に、本発明のスイッチの操作構造の動作について説明する。操作部３は、基部３ａから突出した第１の凸部３ｃと軸部４の円板部４ｄから突出した第２の凸部４ｆが互いに離脱しているとき、ツマミ部３ｂがパネル１から没入した状態となっている。
【００４０】
この状態で、第２のギア６をモーター等により回転させると、第１のギア５を介して、軸部４が回転する（図５の場合、右回転）。軸部４の回転によって、円板部４ｄは、操作部３の基部３ａに対して回転して、第２の凸部４ｆの緩やかな方の傾斜面４ｆが、第１の凸部３ｃの緩やかな方の傾斜面３ｇに当接しながら移動する。このとき、操作部３は、第１の付勢部材７の付勢に抗して押し上げられて、第１の凸部３ｃの頂部と第２の凸部の頂部が当接すると、操作部３のツマミ部３ｂがパネル１から突出して、図１に示す状態となる。
【００４１】
このとき、操作部３は、第２の凸部４ｆの傾斜面４ｇが第１の凸部３ｃの傾斜面３ｇに沿って移動することにより、モーター等に大きな負荷を与えることなく、滑らかに動く。さらに、第１の凸部３ｃの傾斜面３ｇと第２の凸部４ｆの傾斜面４ｇを緩やかにすることにより、モーター等に大きな負荷を与えることなく動作させることが可能であり、操作部３の動きがより滑らかになる。
【００４２】
また、一対の第１、第２の凸部３ｃ、４ｆは、それぞれ、互いに乗り上げた状態となっているので、操作部３は、ツマミ部３ｂが水平で安定した状態で突出したものとなっている。
【００４３】
操作部３のツマミ部３ｂがパネル１から突出した状態から、第２のギア６を回転させると、軸部４の回転によって、第２の凸部４ｆの急な方の傾斜面４ｆが、第１の凸部３ｃの急な方の傾斜面３ｇに当接しながら移動する。そして、第１の凸部３ｃと第２の凸部４ｆが離脱すると、操作部３は、第１の付勢部材７の付勢により、操作部３のツマミ部３ｂがパネル１の内側に没入する。
【００４４】
このとき、操作部３は、第２の凸部４ｆの傾斜面４ｇが第１の凸部３ｃの傾斜面３ｇに沿って移動することにより、滑らかに動く。第１の凸部３ｃの傾斜面３ｇと第２の凸部４ｆの傾斜面４ｇの傾斜を急にすることにより、操作部３の動きを迅速にすることができる。
【００４５】
このようにして、第１、第２の凸部３ｃ、４ｆの当接、離脱により、操作部３のツマミ部３ｂがパネル１から突出、あるいはパネル１の内側に没入する。
【００４６】
プッシュスイッチ２は、パネル１から突出した操作部３のツマミ部３ｂは、操作しやすく、パネル１の内側に没入した操作部３のツマミ部３ｂは、操作しにくくい状態となっている。プッシュスイッチ２を操作するとき、操作部３のツマミ部３ｂを押圧すると、軸部４は、第２の付勢部材９の付勢に抗してプッシュスイッチ２側に押し下げられて、プッシュスイッチ２を押して、プッシュスイッチ２を作動させる。操作部３のツマミ部３ｂへの押圧を解除すると、軸部４は、第２の付勢部材９によりパネル１側へ付勢されて、軸部４と操作部３が元の状態に戻ると共に、プッシュスイッチ２の押圧が解除される。
【００４７】
このとき、第１のギア５と軸部４は別体であり、第１のギア５は、支持部材８の突出部８ｂとパネル１の凸部１ｃに挟持されているため、軸部４の回転面と垂直方向の動きに影響されず、よって、第１のギア５の位置を第２のギア６との結合が最適な位置とした状態で、軸部４の回転面と垂直方向の移動が可能である。
【００４８】
軸部４、第１のギア５、第２のギア６は、プッシュスイッチ２を押圧すると共に、操作部３をパネル１から出没、或いはパネル１の内側に没入させる駆動手段となっている。
【００４９】
次に、本発明のスイッチの操作構造の具体的な使用形態について、図８を用いて説明する。図１に示すようなプッシュスイッチ２と操作部３、及び、軸部４、第１のギア５等からなるスイッチユニットが複数個並べられて、スイッチユニットには、セットモードと使用モードが設定されている。セットモードにおいて、パネル１から突出させたい操作部３を押圧すると、プッシュスイッチ２のＯＮ状態に対応してモーター（図示せず）が駆動し、軸部４を回転させて、操作部３をパネル１から突出した状態とする。一方、パネル１の内側に没入させる操作部３は押圧せず、プッシュスイッチ２のＯＦＦ状態に対応してモーター（図示せず）が駆動され、軸部４が回転して、操作部３をパネル１の内側に没入した状態とする。
【００５０】
使用モードにおいて、パネル１から突出した操作部３が操作し易く、パネル１の内側に没入した操作部３は操作し難いので、例えば、頻繁に使用する操作部３のみをパネル１から突出した状態として、操作性を向上させることができる。
【００５１】
なお、上記実施の形態では、操作部３の２ポジションは、パネル１から突出した状態とパネル１の内側に没入した状態として説明したが、操作部３の２ポジションの両方をパネル１からの突出状態として、突出高さを変えるようにしても良い。また、操作部３の位置を３段階以上に切り替えて、３ポジション以上が設定できるようにしても良い。
【００５２】
なお、上記実施の形態では、操作部３の基部３ａから突出した第１の凸部３ｃを形成したが、操作部３の基部３ａに凹部を形成して、基部３ａの表面を第１の凸部３ｃとして、軸部４の円板部４ｄから突出した第２の凸部４ｆが基部３ａの凹部に係合されたとき、操作部３のツマミ部３ｂがパネル１から没入して、第２の凸部４ｆが基部３ａに形成された凹部から離脱したとき、即ち、第２の凸部４ｆが第１の凸部３ｃに当接したとき、操作部３のツマミ部３ｂがパネル１から突出するようにしても良い。同様に、軸部４の円板部４ｄ側に凹部を形成しても良い。
【００５３】
また、操作部３の基部３ａから突出した第１の凸部３ｃに傾斜面３ｇを設けると共に、軸部４の円板部４ｄから突出した第２の凸部４ｆの両方に傾斜面４ｇを設けたが、第１の凸部３ｃと第２の凸部４ｆのどちらか一方に傾斜面３ｇ、４ｇを設ければ良い。
【００５４】
また、軸部４は、第１、第２のギア５、６以外の手段で回転させても良い。また、第１、第２の付勢部材７、９にはバネを用いたが、第１、第２の付勢部材７、９には、バネの他にも、ゴム、或いは磁力等も用いることができる。なお、第２の付勢部９は、プッシュスイッチ２の操作に大きな押圧力が必要である場合にはなくてもよい。その場合には、第１の付勢部材７の付勢力をプッシュスイッチ２の作動力よりも小さくしておく必要がある。
【００５５】
【発明の効果】
本発明のスイッチの操作構造は、パネルに対して上下動可能な操作部と、前記パネルの内側に固定されたプッシュスイッチと、前記操作部と前記プッシュスイッチの間に介在する駆動手段とを備え、前記駆動手段は、前記プッシュスイッチを操作することとなく、前記操作部を前記パネルに対して上下動させることが可能であると共に、前記操作部の押圧時、前記駆動手段を介して前記プッシュスイッチの操作を行う。
このようなスイッチの操作構造では、駆動手段が操作部を上下動させて、プッシュスイッチは動かないので、プッシュスイッチの配線との接続が操作部の上下動により劣化することがない。
【００５６】
本発明のスイッチの操作構造は、前記操作部が前記パネルから突出、或いは、前記パネルの内側に没入することが可能である。
このようなスイッチの操作構造では、突出した操作部と没入した操作部の差が明確であり、没入した操作部を押圧することがなく、操作が確実である。
【００５７】
本発明のスイッチの操作構造は、回転可能な軸部を有し、該軸部の回転によって、前記操作部を前記パネルに対して上下動させる。
このようなスイッチの操作構造では、軸部を上下動させることなく操作部を上下動させることができるので、操作部を上下動させるとき、軸部がプッシュスイッチを押圧することなく、プッシュスイッチを誤作動させることがない。
【００５８】
本発明のスイッチの操作構造は、前記操作部には、第１の凹凸面が設けられていると共に、前記軸部には、前記第１の凹凸面に対向する第２の凹凸面が設けられており、前記軸部の回転により、前記第１の凹凸面の第１の凸部と、前記第２の凹凸面の第２の凸部が当接、離脱して、前記操作部を前記パネルに対して上下動させる。
このようなスイッチの操作構造では、駆動手段の操作部を上下動させる構造が簡単であるので、製造が容易であり、且つ破損し難い。
【００５９】
本発明のスイッチの操作構造は、前記第１、第２の凹凸面は、それぞれ、前記第１、第２の凸部の頂部から根元部に向かう第１、第２の傾斜面を有し、前記軸部の回転時、前記第１、第２の凸部は、互いに前記第１、第２の傾斜面に沿って乗り上げる。
このようなスイッチの操作構造では、操作部の動きが平滑である。
【００６０】
本発明のスイッチの操作構造は、前記第１、第２の凹凸面は、それぞれ、前記第１、第２の凸部が前記軸部の回転中心に対して対称な位置に少なくとも一対配置されている。
このようなスイッチの操作構造では、前記第１、第２の凹凸面の凸部が当接したとき、操作部を水平に保持することができるので、操作部を押圧しやすい。
【００６１】
本発明のスイッチの操作構造は、前記操作部と前記パネルとの間に第１の付勢部材が配置されて、前記第１の付勢部材によって、前記操作部を前記駆動手段側に押しつけている。
このようなスイッチの操作構造では、前記第１、第２の凹凸面が常に当接した状態となるので、軸部が回転するとき、操作部にガタツキがない。
【００６２】
本発明のスイッチの操作構造は、前記駆動手段の前記軸部によって、前記プッシュボタンを押圧する。
このようなスイッチの操作構造では、操作部が上下動しても、軸部とプッシュスイッチの位置関係は変わらないので、プッシュスイッチを同じストロークで押圧することができる。
【００６３】
本発明のスイッチの操作構造は、前記駆動手段が前記軸部と、前記軸部の外周に配置された第１のギアを有し、前記第１のギアを介して前記軸部が回転する。
このようなスイッチの操作構造では、第１のギアによって軸部を容易に回転させることができる。
【００６４】
本発明のスイッチの操作構造は、前記第１のギアが中心部に設けられた貫通孔と、該壁面に設けられた歯部とを有し、前記貫通孔に前記軸部が挿通されて、前記第１のギアと前記軸部は、一体に回転可能なように係合されている。
このようなスイッチの操作構造では、第１のギアの回転をより効率的に軸部に伝達することができる。
【００６５】
本発明のスイッチの操作構造は、前記駆動手段は、前記第１のギアと噛み合う第２のギアを有し、前記第２のギアを介して前記第１のギアが回転する。
このようなスイッチの操作構造では、第２のギアにより第１のギアをガタツキなく回転させることができる。
【００６６】
本発明のスイッチの操作構造は、前記第２のギアが前記第１のギアに噛み合うウォームギアで形成されている。
このようなスイッチの操作構造では、より少ない力で軸部を回転させることができる。
【００６７】
本発明のスイッチの操作構造は、前記パネルの内側に支持部材が固定されており、前記第１のギアは、前記支持部材と前記パネルに挟持されて、前記第１のギアの移動が規制されている。
このようなスイッチの操作構造では、第１のギアは、第２のギアと最適に噛み合う位置に設定されるので、第１のギアと第２のギアは、確実に噛み合った状態を保持することができる。
【００６８】
本発明のスイッチの操作構造は、前記軸部は、第２の付勢部材により前記パネル側に付勢されている。
このようなスイッチの操作構造では、操作部が押圧されないとき、軸部がプッシュスイッチを押圧することがなく、誤作動を防ぐことができる。
【図面の簡単な説明】
【図１】本発明のスイッチの操作構造に係る断面図。
【図２】本発明のスイッチの操作構造に係る操作部の断面図。
【図３】本発明のスイッチの操作構造に係る操作部の下面図。
【図４】本発明のスイッチの操作構造に係る軸部の平面図。
【図５】本発明のスイッチの操作構造に係る軸部の右側面図。
【図６】本発明のスイッチの操作構造に係る第１のギアの平面図。
【図７】図６の７−７線での断面図。
【図８】本発明のスイッチの操作構造の使用例を示す斜視図。
【図９】従来のスイッチの操作構造を示す断面図。
【符号の説明】
Ｓ１  第１の凹凸面
Ｓ２  第２の凹凸面
１  パネル
２  プッシュスイッチ
３  操作部
３ｃ  第１の凸部
３ｇ  傾斜面
４  軸部
４ｆ  第２の凸部
４ｇ  傾斜面
５  第１のギア
６  第２のギア
７  第１の付勢部材
９  第２の付勢部材
【図１】
0003917829.tif 000002
【図２】
0003917829.tif 000003
【図３】
0003917829.tif 000004
【図４】
0003917829.tif 000005
【図５】
0003917829.tif 000006
【図６】
0003917829.tif 000007
【図７】
0003917829.tif 000008
【図８】
0003917829.tif 000009
【図９】
0003917829.tif 000010